(57)【要約】【課題】映像を主体とするデジタルコンテンツを製作する場合の撮影スタッフの時間的拘束や記録ミス，時間的コストを回避し、デジタルコンテンツ製作過程における全般的な作業負担を軽減し、時間的・金銭的なコスト削減やコンテンツの迅速な提供を可能とする技術を提供する。【解決手段】説明資料データファイルに含まれる複数のページの表示順序に従い階層構造識別情報ならびにページ識別情報を管理データファイルに記録するステップと、映像データファイルを生成する手段を用いて、前記管理データファイルから階層構造識別情報を判別して得られた階層構造体に基づいて所定の操作によって映像データファイルと映像データファイル識別情報とを連続的に生成すると共に、対応する階層構造識別情報ならびにページ識別情報に関連付けて前記管理データファイルに前記映像データファイル識別情報を記録するステップとを備えたデジタルコンテンツ製作方法。【選択図】なし【特許請求の範囲】
【請求項１】
階層構造を伴ったデジタルコンテンツ群を製作するデジタルコンテンツ製作方法において、説明資料データファイルに含まれる複数のページの表示順序に従い階層構造識別情報ならびにページ識別情報を管理データファイルに記録するステップと、映像データファイルを生成する手段を用いて、前記管理データファイルから階層構造識別情報を判別して得られた階層構造体に基づいて所定の操作によって映像データファイルと映像データファイル識別情報とを連続的に生成すると共に、対応する階層構造識別情報ならびにページ識別情報に関連付けて前記管理データファイルに前記映像データファイル識別情報を記録するステップとを備えたことを特徴とするデジタルコンテンツ製作方法。
【請求項２】
前記管理データファイルに記録した階層構造識別情報を所定の操作により構造変更し、構造変更された階層構造識別情報を管理データファイルに記録するステップを備えたことを特徴とする請求項１記載のデジタルコンテンツ製作方法。
【請求項３】
前記管理データファイルから階層構造識別情報を取得し、ディレクトリ階層構造を生成するステップと、前記管理データファイルから階層構造識別情報に関連付けられた映像データファイル識別情報ならびにページ識別情報を取得し、識別情報の組み合わせを判断し対応するデータファイルのファイルセット群を生成するステップと、この生成したファイルセット群を前記ディレクトリ階層構造に自動的に配置保存するステップとを備えたことを特徴とする請求項１，２のいずれか１項に記載のデジタルコンテンツ製作方法。
【請求項４】
前記説明資料データファイルに含まれる複数のページの表示順序に従い階層構造識別情報ならびにページ識別情報を管理データファイルに記録するステップは、この説明資料データファイルに含まれる複数のページの表示順序に従い階層構造識別情報ならびにページ識別情報を生成するステップと、この生成した階層構造識別情報ならびにページ識別情報を前記管理データファイルに記録するステップとを備えたことを特徴とする請求項１〜３のいずれか１項に記載のデジタルコンテンツ製作方法。
【請求項５】
前記映像データファイルを前記管理データファイルから取得し、Ｗｅｂで配信可能な映像データファイルへエンコードしてＷｅｂで配信可能な映像データファイル識別情報を前記管理データファイルに記録するステップと、前記ページ識別情報を管理データファイルから取得し、対応するページを判断してＷｅｂで配信可能なファイルへデータ変換してＷｅｂで配信可能なファイルデータ識別情報を前記管理データファイルに記録するステップと、前記管理データファイルから階層構造識別情報を判断し物理的なディレクトリ階層構造を生成するステップと、前記管理データファイルからＷｅｂで配信可能な映像データファイル識別情報及び説明資料データファイルのＷｅｂで配信可能なファイルデータ識別情報を取得し、識別情報の組み合わせを判断し対応するデータファイルのファイルセット群を生成するステップと、この生成したファイルセット群を前記物理的なディレクトリ階層構造に自動的に配置保存するステップとを備えたことを特徴とする請求項１〜４のいずれか１項に記載のデジタルコンテンツ製作方法。
【請求項６】
デジタル若しくはアナログ入力ストリーム信号から映像データファイルを生成する手段を用いることを特徴とする請求項１〜５のいずれか１項に記載のデジタルコンテンツ製作方法。
【請求項７】
階層構造を伴ったデジタルコンテンツ群を製作するデジタルコンテンツ製作システムにおいて、説明資料データファイルに含まれる複数のページの表示順序に従い階層構造識別情報ならびにページ識別情報を管理データファイルに記録する記録手段と、映像データファイルを生成する撮影手段と、前記管理データファイルから階層構造識別情報を判別して得られた階層構造体に基づいて所定の操作によって映像データファイルと映像データファイル識別情報とを連続的に生成する映像データファイル連続生成手段と、この映像データファイル連続生成手段で生成した映像データファイル識別情報に対応する階層構造識別情報ならびにページ識別情報に関連付けて管理データファイルに映像データファイル識別情報を記録する関連付け手段とを備えた構成としたことを特徴とするデジタルコンテンツ製作システム。
【請求項８】
前記管理データファイルに記録した階層構造識別情報を所定の操作により構造変更し、構造変更された階層構造識別情報を管理データファイルに記録する階層構造変更手段を備えた構成としたことを特徴とする請求項７記載のデジタルコンテンツ製作システム。
【請求項９】
前記管理データファイルから階層構造識別情報を取得し、ディレクトリ階層構造を生成するディレクトリ階層構造生成手段と、前記管理データファイルから階層構造識別情報に関連付けられた映像データファイル識別情報ならびにページ識別情報を取得し、識別情報の組み合わせを判断し対応するデータファイルのファイルセット群を生成するファイルセット生成手段と、この生成したファイルセット群を前記ディレクトリ階層構造に自動的に配置保存するディレクトリ階層構造用自動配置手段とを備えた構成としたことを特徴とする請求項７，８のいずれか１項に記載のデジタルコンテンツ製作システム。
【請求項１０】
前記説明資料データファイルに含まれる複数のページの表示順序に従い階層構造識別情報ならびにページ識別情報を管理データファイルに記録する前記記録手段は、この説明資料データファイルに含まれる複数のページの表示順序に従い階層構造識別情報ならびにページ識別情報を生成する識別情報生成手段と、この識別情報生成手段により生成した階層構造識別情報ならびにページ識別情報を前記管理データファイルに記録する識別情報記録手段とを備えた構成としたことを特徴とする請求項７〜９のいずれか１項に記載のデジタルコンテンツ製作システム。
【請求項１１】
前記映像データファイルを前記管理データファイルから取得し、Ｗｅｂで配信可能な映像データファイルへエンコードしてＷｅｂで配信可能な映像データファイル識別情報を前記管理データファイルに記録する映像データファイルエンコード手段と、前記ページ識別情報を管理データファイルから取得し、対応するページを判断してＷｅｂで配信可能なファイルへデータ変換してＷｅｂで配信可能なファイルデータ識別情報を管理データファイルに記録するページファイルデータ変換手段と、管理データファイルから階層構造識別情報を判断し物理的なディレクトリ階層構造を生成する物理的ディレクトリ階層構造生成手段と、前記管理データファイルからＷｅｂで配信可能な映像データファイル識別情報及び説明資料データファイルのＷｅｂで配信可能なファイルデータ識別情報を取得し、識別情報の組み合わせを判断し対応するデータファイルのファイルセット群を生成するファイルセット生成手段と、このファイルセット生成手段により生成したファイルセット群を前記物理的なディレクトリ階層構造に自動的に配置保存する物理的ディレクトリ階層構造用自動配置手段とを備えた構成としたことを特徴とする請求項７〜１０のいずれか１項に記載のデジタルコンテンツ製作システム。
【請求項１２】
デジタル若しくはアナログ入力ストリーム信号から映像データファイルを生成する撮影手段を用いることを特徴とする請求項７〜１１のいずれか１項に記載のデジタルコンテンツ製作システム。
【発明の詳細な説明】
【技術分野】
【０００１】
本発明における技術分野は、映像や音声を扱うアナログ/デジタル・デバイス機器からの映像および音声の入力信号からコンピュータ上で扱うことの出来るデジタル映像ファイルをリアルタイムで連続的に且つ効率的に生成する仕組みに言及すると共に、デジタル映像の配信技術などが基礎となるデジタルコンテンツ製作方法及びデジタルコンテンツ製作システムに関するものである。
【背景技術】
【０００２】
近年、日本政府が策定した「ｅＪａｐａｎ戦略」に影響され、各方面でＩＴ化の波が押し寄せている。教育機関や企業内研修などにおいても「教育のＩＴ化」が推進されており、一般的に「ｅラーニング」という呼称で広く浸透しておりネットワークを利用して一般的にコンテンツと呼ばれる授業や研修、プレゼンテーションの発表風景、組織のコンプライアンス情報などを映像コンテンツとして配信する仕組みが構築されている。
【０００３】
例えば、このｅラーニング分野において配信対象となる動画と資料を連動させたデジタルコンテンツ（図１）の製作過程を考える。製作対象となるものを「学校で行われる一般的な授業」と仮定して考えて見ると、授業では講師が用意する説明資料（図２）と資料を利用した講師による内容の説明が想定される。
【０００４】
従来の方法では、先ず、ビデオ機器などを利用して撮影対象となる講師説明や授業風景などの映像撮影を行う。これと同時に撮影を開始した時点を０分とした講師が説明資料の表示を切り替える時の時間的なタイミングを記録していく（図３）。このとき、撮影に関わるスタッフは記録を行うために撮影の最初から最後までその場に居続ける必要があり、切替タイミングの記録をし忘れたり間違ったりすることはできない。
【０００５】
次に、撮影が終わるとビデオ機器から撮影した映像をパーソナルコンピュータ上にデジタル映像ファイルとしてＩＥＥＥ１３９４やＵＳＢなどを経由して取り込む作業を行う（図４）。この映像の取り込み作業はビデオテープから映像を取り込む場合、撮影に要した時間と同程度もしくはそれより長い時間が必要となる。例えば、６０分の授業撮影を行った場合は映像の取込みに６０分以上はかかるということである。また、取り込み映像ファイルは授業で使用した説明資料の枚数に関係なく、１つの映像ファイルとして生成される。
【０００６】
その後、取り込んだ映像ファイル形式（一般的にはＡＶＩファイル）に対応した映像編集ソフトウェアなどを使用して、図３で記録した切替タイミングに則して発表者の説明資料1枚ごとに対応した映像ファイルを生成するために、映像を基にした切替タイミングの目視確認と手作業による映像の分割編集作業を行う（図５）。つまり、図５に示されるように説明資料が５枚存在する場合は、Ａ〜Ｄの切替タイミングに合わせて1つの映像ファイルを５枚の資料に合致するように５つの映像ファイルに分割しなければならない。
【０００７】
そして、映像の分割編集作業後は、分割した映像ファイルとそれぞれに対応した説明資料とをセットにして組み合わせる作業により図１に示されるようなデジタルコンテンツの製作を行う。この組み合わせ作業の製作も従来技術では専用のデザイン系ソフトウェア（ホームページ作成ソフトなど）などを用いて手作業によりデジタルコンテンツセットを製作していく（図６）。
【０００８】
また、映像と資料がセットとなったデジタルコンテンツのシナリオ構成を考えた時、一般的には図２に示されるように「直線型」のシナリオ構造と書籍の目次などのように章・節・項から構成されるような「階層型」のシナリオ構造とが考えられる（図７）。
【０００９】
このとき、デジタルコンテンツ内では映像ファイルと説明資料ファイルの物理的な配置情報を扱うこととなり、コンピュータ上でのデジタルコンテンツの実際の物理的な配置位置も影響を受けることになる。
【００１０】
つまり、シナリオ構成を明確にするためにデジタルコンテンツに埋め込まれる映像および資料の配置情報と実際の配置位置の構成に関して整合性を取る必要が生じてくる。こういった構成を構築する場合、従来の方法では、やはり手作業によって物理的なファイルやフォルダなどの配置を形成し、その配置構成に従ってデジタルコンテンツで参照する各ファイルの位置情報を記述していくこととなる。
【発明の開示】
【発明が解決しようとする課題】
【００１１】
従来技術では、映像を主体とするデジタルコンテンツを製作する場合、撮影フェーズにおいて、講師とは別の撮影スタッフが終始ビデオによる撮影と同時に講師の説明資料切り替えタイミングを手動で記録する必要があり、撮影スタッフの時間的拘束や記録ミス防止など注意を払わなければならない点がある。
【００１２】
また、編集フェーズにおいては、撮影後に映像編集しようとするコンピュータ上に撮影した映像を取り込み、その映像ファイル形式に即した動画編集ソフトウェアなどを用いて撮影時に記録したスライド切り替えタイミングに合致するように手動で動画編集を行う。このように、全て手作業によってデジタル映像ファイルを１つ１つ生成し映像の編集作業を行う必要があり、取込みおよび編集にかかる時間的コスト増加は避けられない現状がある。
【００１３】
加えて、構造構築フェーズでは、講師が使用した説明資料をベースにして「教育的に意味のあるシナリオ構造」を構築し、この構造に対して映像や資料を割り当てる場合、シナリオ構造を構成する１つ１つのシナリオ要素に対して、前述の編集作業で生成したデジタル映像ファイルと資料のセットをやはり手作業によって１つ１つ割り当てていく構造編集作業が必要となる。
【００１４】
上記のような状況を考えると、デジタルコンテンツ製作者は撮影中においては切り替えタイミングを記録するためにタイムキーパー的な役割を終始行わなければならず、更に複数の映像編集ソフトウェアを使用したり、使用するソフトウェアの複雑な操作方法を覚えたり、ソフトウェア上で講師の説明資料と連動させる映像部分をしらみつぶしに照合するなどの高度な映像編集作業を余儀なくされ、また、全て手作業によるシナリオ階層構造への映像・資料ファイルの割り当てを行う必要がある。このようにデジタルコンテンツ製作過程における全般的な作業負担は非常に大きいものであり、時間的・金銭的なコスト増加やコンテンツの迅速な提供を行えない状況を引き起こす結果となる。
【００１５】
本発明は、前記従来の課題を解決するためになされたものであり、デジタルコンテンツ製作過程における全般的な作業負担を軽減し、時間的・金銭的なコスト削減やコンテンツの迅速な提供を行うための、例えばＷＥＢ配信型コンテンツなどのデジタルコンテンツ製作方法及びデジタルコンテンツ製作システムを提供するものである。
【課題を解決するための手段】
【００１６】
添付図面を参照して本発明の要旨を説明する。
【００１７】
階層構造を伴ったデジタルコンテンツ群を製作するデジタルコンテンツ製作方法において、説明資料データファイルに含まれる複数のページの表示順序に従い階層構造識別情報ならびにページ識別情報を管理データファイルに記録するステップと、映像データファイルを生成する手段を用いて、前記管理データファイルから階層構造識別情報を判別して得られた階層構造体に基づいて所定の操作によって映像データファイルと映像データファイル識別情報とを連続的に生成すると共に、対応する階層構造識別情報ならびにページ識別情報に関連付けて前記管理データファイルに前記映像データファイル識別情報を記録するステップとを備えたことを特徴とするデジタルコンテンツ製作方法に係るものである。
【００１８】
また、前記管理データファイルに記録した階層構造識別情報を所定の操作により構造変更し、構造変更された階層構造識別情報を管理データファイルに記録するステップを備えたことを特徴とする請求項１記載のデジタルコンテンツ製作方法に係るものである。
【００１９】
また、前記管理データファイルから階層構造識別情報を取得し、ディレクトリ階層構造を生成するステップと、前記管理データファイルから階層構造識別情報に関連付けられた映像データファイル識別情報ならびにページ識別情報を取得し、識別情報の組み合わせを判断し対応するデータファイルのファイルセット群を生成するステップと、この生成したファイルセット群を前記ディレクトリ階層構造に自動的に配置保存するステップとを備えたことを特徴とする請求項１，２のいずれか１項に記載のデジタルコンテンツ製作方法に係るものである。
【００２０】
また、前記説明資料データファイルに含まれる複数のページの表示順序に従い階層構造識別情報ならびにページ識別情報を管理データファイルに記録するステップは、この説明資料データファイルに含まれる複数のページの表示順序に従い階層構造識別情報ならびにページ識別情報を生成するステップと、この生成した階層構造識別情報ならびにページ識別情報を前記管理データファイルに記録するステップとを備えたことを特徴とする請求項１〜３のいずれか１項に記載のデジタルコンテンツ製作方法に係るものである。
【００２１】
また、前記映像データファイルを前記管理データファイルから取得し、Ｗｅｂで配信可能な映像データファイルへエンコードしてＷｅｂで配信可能な映像データファイル識別情報を前記管理データファイルに記録するステップと、前記ページ識別情報を管理データファイルから取得し、対応するページを判断してＷｅｂで配信可能なファイルへデータ変換してＷｅｂで配信可能なファイルデータ識別情報を前記管理データファイルに記録するステップと、前記管理データファイルから階層構造識別情報を判断し物理的なディレクトリ階層構造を生成するステップと、前記管理データファイルからＷｅｂで配信可能な映像データファイル識別情報及び説明資料データファイルのＷｅｂで配信可能なファイルデータ識別情報を取得し、識別情報の組み合わせを判断し対応するデータファイルのファイルセット群を生成するステップと、この生成したファイルセット群を前記物理的なディレクトリ階層構造に自動的に配置保存するステップとを備えたことを特徴とする請求項１〜４のいずれか１項に記載のデジタルコンテンツ製作方法に係るものである。
【００２２】
また、デジタル若しくはアナログ入力ストリーム信号から映像データファイルを生成する手段を用いることを特徴とする請求項１〜５のいずれか１項に記載のデジタルコンテンツ製作方法に係るものである。
【００２３】
また、階層構造を伴ったデジタルコンテンツ群を製作するデジタルコンテンツ製作システムにおいて、説明資料データファイルに含まれる複数のページの表示順序に従い階層構造識別情報ならびにページ識別情報を管理データファイルに記録する記録手段と、映像データファイルを生成する撮影手段と、前記管理データファイルから階層構造識別情報を判別して得られた階層構造体に基づいて所定の操作によって映像データファイルと映像データファイル識別情報とを連続的に生成する映像データファイル連続生成手段と、この映像データファイル連続生成手段で生成した映像データファイル識別情報に対応する階層構造識別情報ならびにページ識別情報に関連付けて管理データファイルに映像データファイル識別情報を記録する関連付け手段とを備えた構成としたことを特徴とするデジタルコンテンツ製作システムに係るものである。
【００２４】
また、前記管理データファイルに記録した階層構造識別情報を所定の操作により構造変更し、構造変更された階層構造識別情報を管理データファイルに記録する階層構造変更手段を備えた構成としたことを特徴とする請求項７記載のデジタルコンテンツ製作システムに係るものである。
【００２５】
また、前記管理データファイルから階層構造識別情報を取得し、ディレクトリ階層構造を生成するディレクトリ階層構造生成手段と、前記管理データファイルから階層構造識別情報に関連付けられた映像データファイル識別情報ならびにページ識別情報を取得し、識別情報の組み合わせを判断し対応するデータファイルのファイルセット群を生成するファイルセット生成手段と、この生成したファイルセット群を前記ディレクトリ階層構造に自動的に配置保存するディレクトリ階層構造用自動配置手段とを備えた構成としたことを特徴とする請求項７，８のいずれか１項に記載のデジタルコンテンツ製作システムに係るものである。
【００２６】
また、前記説明資料データファイルに含まれる複数のページの表示順序に従い階層構造識別情報ならびにページ識別情報を管理データファイルに記録する前記記録手段は、この説明資料データファイルに含まれる複数のページの表示順序に従い階層構造識別情報ならびにページ識別情報を生成する識別情報生成手段と、この識別情報生成手段により生成した階層構造識別情報ならびにページ識別情報を前記管理データファイルに記録する識別情報記録手段とを備えた構成としたことを特徴とする請求項７〜９のいずれか１項に記載のデジタルコンテンツ製作システムに係るものである。
【００２７】
また、前記映像データファイルを前記管理データファイルから取得し、Ｗｅｂで配信可能な映像データファイルへエンコードしてＷｅｂで配信可能な映像データファイル識別情報を前記管理データファイルに記録する映像データファイルエンコード手段と、前記ページ識別情報を管理データファイルから取得し、対応するページを判断してＷｅｂで配信可能なファイルへデータ変換してＷｅｂで配信可能なファイルデータ識別情報を管理データファイルに記録するページファイルデータ変換手段と、管理データファイルから階層構造識別情報を判断し物理的なディレクトリ階層構造を生成する物理的ディレクトリ階層構造生成手段と、前記管理データファイルからＷｅｂで配信可能な映像データファイル識別情報及び説明資料データファイルのＷｅｂで配信可能なファイルデータ識別情報を取得し、識別情報の組み合わせを判断し対応するデータファイルのファイルセット群を生成するファイルセット生成手段と、このファイルセット生成手段により生成したファイルセット群を前記物理的なディレクトリ階層構造に自動的に配置保存する物理的ディレクトリ階層構造用自動配置手段とを備えた構成としたことを特徴とする請求項７〜１０のいずれか１項に記載のデジタルコンテンツ製作システムに係るものである。
【００２８】
また、デジタル若しくはアナログ入力ストリーム信号から映像データファイルを生成する撮影手段を用いることを特徴とする請求項７〜１１のいずれか１項に記載のデジタルコンテンツ製作システムに係るものである。
【発明の効果】
【００２９】
本発明は、上述のようにしたので、例えば、説明終了後に資料に連動したデジタル映像ファイルと説明資料ファイルが階層構造（シナリオ階層構造）に対応する形式で自動的に生成され、例えば、撮影後の映像編集作業ならびに構造編集作業を要さずにデジタルコンテンツの製作を行うことが可能である。
【００３０】
この結果、デジタルコンテンツ製作における作業時間の大幅短縮が可能となり、デジタルコンテンツ製作において大幅な作業効率化とコスト削減、ならびに迅速なコンテンツ提供を行うことが可能となる。
【発明を実施するための最良の形態】
【００３１】
好適と考える本発明の実施形態（発明をどのように実施するか）を、図面に基づいて本発明の作用を示して簡単に説明する。
【００３２】
説明資料データファイルに含まれる複数のページの表示順序に従い階層構造識別情報ならびにページ識別情報を管理データファイルに記録する。
【００３３】
次いで、映像データファイルを生成する手段を用いて、前記管理データファイルから階層構造識別情報を判別して得られた階層構造体に基づいて所定の操作によって映像データファイルと映像データファイル識別情報とを連続的に生成すると共に、対応する階層構造識別情報ならびにページ識別情報に関連付けて前記管理データファイルに前記映像データファイル識別情報を記録する。
【００３４】
従って、このようにして生成した管理データファイルを用いれば、例えばこの管理データファイルから階層構造識別情報を取得し、ディレクトリ階層構造を自動生成し、次いで管理データファイルから階層構造識別情報に関連付けられた映像データファイル識別情報ならびにページ識別情報を取得し、識別情報の組合せを判断し対応するデータファイルのファイルセット群を自動生成し、次いで生成したディレクトリ階層構造に自動的に配置保存するなど、本発明により生成した前記管理データファイルを参照することによって、映像データファイルと説明資料データファイルとが連動し且つ所定の階層構造を伴うデジタルコンテンツ群の製作を、極めて効率的に行えることとなる。
【００３５】
また、例えば、前記管理データファイルに記録した階層構造識別情報を所定の操作により構造変更し、構造変更された階層構造識別情報を管理データファイルに記録するステップを備えれば、前記撮影手段による撮影前および撮影後の任意のタイミングで構造変更操作が行え、製作者の所望の階層構造を伴ったデジタルコンテンツ群の製作が可能となる。
【００３６】
また、例えば、前記映像データファイルを前記管理データファイルから取得し、Ｗｅｂで配信可能な映像データファイルへエンコードしてＷｅｂで配信可能な映像データファイル識別情報を前記管理データファイルに記録するステップと、前記ページ識別情報を管理データファイルから取得し、対応するページを判断してＷｅｂで配信可能なファイルへデータ変換してＷｅｂで配信可能なファイルデータ識別情報を前記管理データファイルに記録するステップと、前記管理データファイルから階層構造識別情報を判断し物理的なディレクトリ階層構造を生成するステップと、前記管理データファイルからＷｅｂで配信可能な映像データファイル識別情報及び説明資料データファイルのＷｅｂで配信可能なファイルデータ識別情報を取得し、識別情報の組み合わせを判断し対応するデータファイルのファイルセット群を生成するステップと、この生成したファイルセット群を前記物理的なディレクトリ階層構造に自動的に配置保存するステップとを備えれば、例えばＷｅｂで配信可能なデジタルコンテンツの生成も効率的に行えるなど、この種のＷｅｂ配信型デジタルコンテンツの製作方法として極めて実用性に秀れたデジタルコンテンツ製作方法となる。
【実施例】
【００３７】
本発明の具体的な実施例について図面に基づいて説明する。
【００３８】
例えば、学校の一般的な授業を撮影するようなケースで、ＷＥＢ配信型コンテンツの製作を行うことを例として考える。授業を行う先生をここでは仮に「ユーザー」と呼ぶことにする。尚、本実施例の以後の詳細説明に利用される映像製作プログラムの画面は本実施例を解説するために簡易化された提示例であり、これらの画面を拡張して利用される可能性も考慮される必要がある。
【００３９】
図８および図９は、本実施例を想定したシステムの全体構成図である。図で示されるとおり、本実施形態では映像処理やコンテンツ生成を行うための処理コンピュータを備えており、この処理コンピュータには図８で示されるような接続形態によりビデオ機器などの映像入力デバイスならびにマイクなどの音声入力デバイスを接続することができる。この処理コンピュータに接続されたデバイス機器を通して映像・音声信号が入力される。処理コンピュータは入力された映像・音声信号をＡＶＩ形式などの所望のデジタル映像フォーマットで保存を行うことが可能であり、更にコンピュータ上に登録してある映像・音声圧縮フィルタを検索し、該当する圧縮フィルタを通すことによって、よりデータ量の少ない形式のデジタル映像ファイルとして保存することも可能である。
【００４０】
図９に示されるように、処理コンピュータには本実施例を利用したコンテンツ製作プログラムが搭載されている。このコンテンツ製作プログラムを動作させることによって前述した映像・音声デバイスからの入力信号を基にした撮影と連動したリアルタイムなデジタル映像ファイル生成を行うことが可能となる。
【００４１】
処理コンピュータにおいてコンテンツ製作プログラムを起動し、図１０に示されるような説明資料取り込み画面によって実際に授業で使用する説明資料（説明資料データファイル）の指定および取り込みを行う。図１０のように画面上には取り込む説明資料の指定領域があり「参照」ボタンと「取り込み」ボタンが含まれている。「参照」ボタンがクリックされると取り込みファイルの指定を行うためのファイル指定画面が表示される。このファイル指定画面から授業で使用する説明資料（例えば、マイクロソフト社のＰｏｗｅｒＰｏｉｎｔ（登録商標）ファイル）の指定を行う。
【００４２】
ファイル指定画面において取り込む対象となる説明資料の設定が完了すると「取り込み」ボタンのクリックによって実際にコンテンツ製作プログラムへ説明資料データファイルの情報取込みを行うと同時に、処理コンピュータ上に存在するハードディスクの所定のディレクトリ位置に指定された説明資料データファイルが保存される。また、これと同時に取り込んだ説明資料データファイルの情報が、後述する図１３に示されるような「シナリオ管理ファイル」内にシナリオ構造（即ち、階層構造）と共に初期状態として保存される。
【００４３】
説明資料の取込みが完了すると図１１に示されるような編集画面へと遷移する。この画面上には、取り込んだ説明資料を階層構造で表示できる領域とそこから選択した１つの説明資料に関する表示プレビューを見ることができる領域が用意されている。前者の領域では説明資料の階層構造を所定のマウス操作などにより構造編集することが可能である。つまり、構造編集領域を利用することによって、撮影前および撮影後の説明資料の階層構造を自由に編集することが可能となる。また、後述するデジタル映像ファイルと説明資料ファイルがセットになったデジタルコンテンツセットを自動生成するための「デジタルコンテンツ自動生成」ボタンも配置されている。以後、説明資料の階層構造を「シナリオ構造」と呼ぶことにする。
【００４４】
ここで前述の説明資料取込みを行った後のシナリオ構造表示を考えてみると、取込みを行った直後は図２０に示されるような「説明資料ルート」を最上位ディレクトリとした１階層だけの単純な構造となる。ここで、この図に記載されている「スライド○○○○タイトル」は説明資料で実際に利用される１つのスライド資料に相当する。この時、シナリオ管理ファイルは図１３の状態となっている。
【００４５】
また、この構造編集領域でマウス操作などによって構造に変更を加えた場合、図２１に例として示されるような「２章２節」の構造を有した多階層の構造を構成することが可能となる。シナリオ構造に変更が加えられた場合は、構造の変更結果が図１４に示されるような状態としてシナリオ管理ファイルに保存される。構造の多階層化は撮影を開始する前および撮影を終了した後で行うことが可能である。
【００４６】
撮影前のシナリオ構造編集が完了する（シナリオ構造編集後の構造は図１４および図２１の状態を想定する）と図１２に示されるような撮影画面が表示される。この撮影画面では編集されたシナリオ構造に従って実際の授業における説明映像を収録することが可能である。ただし、この画面で撮影を行う前に映像処理コンピュータに適切な映像および音声の入力機器を接続し、それを物理的にプログラム構造上で利用可能な状態にしておく必要がある。
【００４７】
この撮影画面には授業の説明のために利用する説明資料のシナリオ構造を表示する領域とシナリオ構造から選択された１つの説明資料を表示するための表示領域が配置され、また、撮影を開始するための「撮影開始」ボタンならびに「撮影終了」ボタンが配置されている。
【００４８】
実際に撮影を開始する際は、シナリオ構造領域から最初の説明に使用する説明資料を選択した後、「撮影開始」ボタンをクリックすることによって撮影が開始される。また、撮影を終了する際は「撮影終了」ボタンをクリックすることによって撮影が終了される。
【００４９】
また、表示資料の切り替え動作の発動は、次に示すユーザーアクションによって起動される。
【００５０】
（１）シナリオ構造表示領域から表示させる資料をマウス操作でクリックしたとき。
【００５１】
（２）説明資料表示領域をマウス操作で左クリックしたとき。
【００５２】
（３）説明資料表示領域をマウス操作で右クリック後、表示されるコンテキストメニューから任意のコマンドを選択したとき。
【００５３】
（４）画面上に配置された特定の資料遷移ボタンおよびコンボボックスなどをマウス操作でクリックしたとき。
【００５４】
（５）映像処理コンピュータに接続されたキーボードの特定キー（カーソルキーやテンキーなど）を押下したとき。
【００５５】
（６）映像処理コンピュータに接続されたプレゼンテーション操作用外部機器（プロジェクターのリモコンキーなど）を使用して特定の画面遷移キーが押下されたとき。
【００５６】
上記（１）〜（６）のユーザーアクションを行った際に発動する資料表示処理は次に示す表示状態となる。
【００５７】
・現在の表示資料の「次へ」：（１）、（２）、（３）、（４）、（５）、（６）
・現在の表示資料から「戻る」：（１）、（２）、（３）、（４）、（５）、（６）
・現在の表示資料から任意の説明資料へジャンプ：（１）、（２）、（３）
「撮影開始」ボタンのクリックによって、撮影を開始すると同時にデジタル映像ファイルの生成を行うが、前述した（１）〜（６）のユーザーアクションに連動してデジタル映像ファイルの分割生成を行うこととなる。
【００５８】
このユーザーの特定操作によるデジタル映像ファイルの分割生成の関係図を図１７に示す。
【００５９】
図１７には、説明資料を操作する特定のユーザーアクションと撮影を開始してから特定のユーザーアクションが起動されるまでの時間、説明資料の表示順番、表示説明資料の資料名、特定のユーザーアクション起動に伴って生成される説明資料に対応したデジタル映像ファイル名の関係図が示されている。
【００６０】
この図によると「撮影開始」ボタンがクリックされた撮影開始時の時間軸を「00：00：00」とし、デジタル映像ファイルのリアルタイム記録が実行される。その際、保存されるデジタル映像ファイル名は「mov○○○○_i_YYYYMMDD_HHMMSS.avi」として記録される。ファイル名の「○○○○」部分は対応する説明資料名に相当する連番部分であり、「i」は説明資料の表示順番の番号、「YYYYMMDD」は映像製作プログラムが稼動する映像製作コンピュータ上での現在の日時（年月日）であり、「HHMMSS」は撮影を開始した時刻の「00：00：00」を基点とした特定のユーザーアクションの起動イベントを取得した時刻（時分秒）をそれぞれテキスト化して割り当てたものである。また、これらの動作を実現するためのプログラムフローチャートを図１８，図１９に示す。
【００６１】
図１７および図１８，図１９に示されるように、特定のユーザーアクションに連動して説明資料に対応したデジタル映像ファイルが連続的且つ自動的に映像処理コンピュータ上に存在するハードディスクの所定のディレクトリ位置に生成される。
【００６２】
図１７および図１８，図１９に示されるような説明資料の表示順序で実際の撮影が行われるが、最終的に「撮影終了」ボタンをクリックするか、表示する説明資料が最後の説明資料となった場合は撮影が終了する。撮影が完了した場合、撮影終了後に保存されるシナリオ管理ファイルは図１５に示すような状態として保存される。図１５では、撮影中にユーザーが指定した資料表示順に従い（この場合の表示順は図１７を参照）、<suffix-sequences>領域に資料の表示データ類が保存されている。
【００６３】
撮影前のシナリオ構造はユーザーが授業で説明することを想定した順序で表示資料を配置したものであるが、撮影後のシナリオ構造は撮影中にユーザーが実際に指示した表示順序であり、撮影前の順序とは異なる場合がある。従って、撮影前のシナリオ構造と撮影後のシナリオ構造は構造変化を生じる可能性ある。つまり、撮影後に適用されるシナリオ構造は撮影中の実際の表示順序に従った撮影後のシナリオ構造であり、この構造に従って最終的なシナリオ構造が再構築されるべきである。
【００６４】
つまり、図１２の撮影画面で撮影が完了した後、図１１に示される編集画面へ再度遷移した場合、構造表示領域に表示されるべきシナリオ構造は図２２に示されるような構造となっていなければならず、それを実現するためには、シナリオ管理ファイルが図１６のように保存されなければならない。
【００６５】
図１６のようなシナリオ管理ファイルを生成するためには、図１５に示すシナリオ管理ファイルから<suffix-sequences>領域に記録された説明資料の表示順序データと撮影前のシナリオ構造である<prefix-sequences>領域の表示順序データを比較して、順序性の異なる部分を<scenarios>領域の構造データに反映させなければならない。つまり、ここでは説明資料「sld0004」から「sld0003」に戻り、説明資料「sld003」から「sld0005」にジャンプした状態を構造上で実現しなければならない。この時、シナリオ構造上のシーケンシングおよび構造再構築は図２３に示されるシナリオ構造上のシーケンシング定義に従わなければならない。
【００６６】
ここで、図１３〜図１６に示される「シナリオ管理ファイル」について説明を行う。シナリオ管理ファイルは資料の構造管理および実際に撮影時に使用された説明資料のシーケンシング情報などを記録するデータ管理ファイルである。例ではＸＭＬを利用してデータ管理体系を構築しているが、データの管理体系に関してはＸＭＬに限らず他のテキスト系データ管理方法およびデータベースを使用した管理体系もこの構成に含まれる要素である。
【００６７】
シナリオ管理ファイルは次に示すように大きく４つのデータ領域から構成されている。また、データの最適化を行うことにより、更に分割されたデータ領域を定義可能であるため、ここで列挙する領域以外のデータ領域利用方法も使用の可能性がある。
【００６８】
（１）．<slides>領域：説明資料の１つ１つのマスタデータを管理するデータ領域。
【００６９】
（２）．<scenarios>領域：説明資料のシナリオ構造を管理するデータ領域。
【００７０】
（３）．<prefix-sequences>領域：シナリオ構造から実際の説明を提示する順序を1階層レベルに纏めたシーケンス情報を管理するデータ領域。
【００７１】
（４）．<suffix-sequences>領域：<prefix-sequences>領域に定義されたシーケンス情報を利用して実際に授業で行った説明資料の提示順序を記録したデータ領域。
【００７２】
（１）領域には、説明資料のスライドタイトルやページ番号、ファイル名などの情報が説明資料ごとに集約されており、「sldid」属性をキーとして他の領域からデータ参照可能な構造となっている。
【００７３】
（２）領域には、説明に使用する資料のシナリオ構造が定義されており、構造の１つが（１）領域のどの説明資料情報に対応しているかを参照するための「sldidref」属性が定義されている。また、（３）領域のシーケンス情報領域からも構造対応を参照するために「sceid」属性が定義されている。
【００７４】
（３）領域には、（２）領域で定義されたシナリオ構造を実際の授業で資料を提示するための構造を平坦化したシーケンス情報（資料提示順序）が定義されている。映像製作プログラムの撮影画面上ではユーザーの選択した説明資料の順番に従って画面上に資料提示を行うが、この（３）領域に定義されているデータを利用して提示順序に従った表示処理を行うこととなる。
【００７５】
（４）領域では、撮影前に（３）領域に定義された資料提示順序に従って、実際にユーザーが撮影中に説明を行った順序に従った説明資料の提示順序を記録する。この領域には資料の提示番号や（１）領域および（２）領域を参照するための「sldidref」属性と「sceidref」属性、説明資料に対応して撮影された映像ファイル名、後述する資料を「戻る」操作を行ったときに資料の関連性を保持するための属性などが定義されている。
【００７６】
撮影終了後に図１１の編集画面に戻り、ここから「デジタルコンテンツ自動生成」ボタンをクリックすることにより、図２４に示すようなデジタル映像ファイルと説明資料およびそれらのデジタル素材を画面上でレイアウトしたＨＴＭＬファイルからなるデジタルコンテンツセットを自動生成する。
【００７７】
このセットを生成するには、図１６の<slides>領域に記録されたデータに従って、使用した説明資料のベースファイルとなる、例えばマイクロソフト社のＰｏｗｅｒＰｏｉｎｔ（登録商標）ファイルから各スライドに対応するＨＴＭＬファイルを映像処理コンピュータ上に存在するハードディスクの所定のディレクトリ位置に生成する。
【００７８】
図１６のシナリオ管理ファイルの<prefix-sequences>領域に記載のシナリオ単位で対応する分割生成されたデジタル映像ファイルと説明資料のＨＴＭＬファイルの構造を参照し、配信対象となる１画面上に映像と説明資料のセットを配置すべく図２４に示される「画面レイアウトＨＴＭＬ」を同時に生成する。
【００７９】
この「画面レイアウトＨＴＭＬ」はシナリオ管理ファイルなどのデータファイルを利用して動的にＨＴＭＬファイルとして生成されるものであり、動的にＨＴＭＬファイルを生成する方法には特に言及しない。例えば、今回の例で説明すると、画面の元となるデータファイルがシナリオ管理ファイルとして利用されるＸＭＬ形式ファイルで、画面レイアウトを定義したＸＳＬＴファイルでデータ変換することによって、動的にＨＴＭＬファイルを生成する仕組みを提供するものである。
【００８０】
更に、映像製作コンピュータ上に存在するハードディスクの所定のディレクトリ位置に図１６の<scenarios>領域に示されるシナリオ構造に従って、物理的なディレクトリ構造を構築生成する。ディレクトリを構築する際は、<scenario>タグの「type」属性を参照し、「directory」であればディレクトリを生成し、「file」であればデジタルコンテンツセットを生成して所定のディレクトリ内に保存する。
【００８１】
デジタルコンテンツを生成するとき、「デジタル映像ファイル」と「説明資料」は所定の位置に保存されているファイルをコピーすることによって保存し、「画面レイアウトＨＴＭＬ」は前述した方法により動的に生成しデジタル映像ファイルと説明資料と同じディレクトリ内に保存する。
【００８２】
以上の操作によって、図２５に示されるように授業撮影を行ったデジタル映像ファイルと説明に使用した説明資料をセットにした階層構造を持ったデジタルコンテンツセットを自動的に生成することが可能となる。
【００８３】
尚、本発明は、本実施例に限られるものではなく、各構成要件の具体的構成は適宜設計し得るものである。
【図面の簡単な説明】
【００８４】
【図１】従来の動画と資料を連動させたデジタルコンテンツの表示例を示す説明図である。
【図２】図１に図示された説明資料の構成例を示す説明図である。
【図３】図１に図示された説明資料の表示切替タイミング記録の例の説明図である。
【図４】従来のビデオ機器からの映像信号取込み方法を示す説明図である。
【図５】従来の切替タイミングに則した映像ファイルの分割編集作業を示す説明図である。
【図６】従来の配信対象となるデジタルコンテンツの製作イメージを示す説明図である。
【図７】従来の直線型と階層型のシナリオ構成（階層構造）イメージ例を示す説明図である。
【図８】本実施例に係る機器構成イメージを示す説明図である。
【図９】本実施例に係る機器の接続構成例を示す説明図である。
【図１０】本実施例に係る説明資料の取り込み画面の例を示す説明図である。
【図１１】本実施例に係る編集画面の例を示す説明図である。
【図１２】本実施例に係る撮影画面の例を示す説明図である。
【図１３】本実施例に係るシナリオ管理ファイル（初期取り込み）の説明図である。
【図１４】本実施例に係るシナリオ管理ファイル（シナリオ編集時）の説明図である。
【図１５】本実施例に係るシナリオ管理ファイル（撮影終了直後）の説明図である。
【図１６】本実施例に係るシナリオ管理ファイル（撮影終了状態反映時）の説明図である。
【図１７】本実施例に係るデジタル映像ファイル生成タイミングの関係図を示す説明図である。
【図１８】本実施例に係る映像生成フローチャートの＜フローチャート１＞である。
【図１９】本実施例に係る映像生成フローチャートの＜フローチャート２＞である。
【図２０】本実施例に係るシナリオ構成（初期取り込み時）の説明図である。
【図２１】本実施例に係るシナリオ構成（シナリオ編成時）の説明図である。
【図２２】本実施例に係るシナリオ構成（撮影終了後）の説明図である。
【図２３】本実施例に係るシナリオ構造のシーケンシングに関する定義を示す説明図である。
【図２４】本実施例に係るデジタルコンテンツセットを示す説明図である。
【図２５】本実施例に係るデジタルコンテンツセットの物理的配置を示す説明図である。
【図１】
2007166385.tif 000002
【図２】
2007166385.tif 000003
【図３】
2007166385.tif 000004
【図４】
2007166385.tif 000005
【図５】
2007166385.tif 000006
【図６】
2007166385.tif 000007
【図７】
2007166385.tif 000008
【図８】
2007166385.tif 000009
【図９】
2007166385.tif 000010
【図１０】
2007166385.tif 000011
【図１１】
2007166385.tif 000012
【図１２】
2007166385.tif 000013
【図１３】
2007166385.tif 000014
【図１４】
2007166385.tif 000015
【図１５】
2007166385.tif 000016
【図１６】
2007166385.tif 000017
【図１７】
2007166385.tif 000018
【図１８】
2007166385.tif 000019
【図１９】
2007166385.tif 000020
【図２０】
2007166385.tif 000021
【図２１】
2007166385.tif 000022
【図２２】
2007166385.tif 000023
【図２３】
2007166385.tif 000024
【図２４】
2007166385.tif 000025
【図２５】
2007166385.tif 000026